(57)【要約】【課題】手動の鋸において木屑を除去しながら木材を加工することができる木屑処理装置を提供する。【解決手段】木屑処理装置１０は、手動の鋸２０に取り付けて用いるものであり、鋸２０の板２１に取り付けるための取付具１１と、この取付具１１に対して回動可能に配設された送風具１２とを備えている。取付具１１としては、例えば、山形クリップまたは目玉クリップが好ましい。送風具１２は、取付具１１に対して１つ配設するようにしてもよいが、鋸２０の板２１の両側から風を送ることができるように、取付具１１の両側に１つずつ配設するようにしてもよい。【選択図】図３
2012240243.tif 000002
【特許請求の範囲】
【請求項１】
手動の鋸に取り付けて用いる木屑処理装置であって、
鋸の板に取り付けるための取付具と、
この取付具に対して回動可能に配設された送風具と
を備えたことを特徴とする木屑処理装置。
【請求項２】
前記取付具は、山形クリップまたは目玉クリップであることを特徴とする請求項１記載の木屑処理装置。
【発明の詳細な説明】
【技術分野】
【０００１】
本発明は、鋸による木材加工中の木屑処理装置に関する。
【背景技術】
【０００２】
一般に、木材を鋸で加工する場合には、木材の墨付けした線に沿って鋸で切断する。しかしながら、鋸を使用すると木屑が発生し、墨付けした線が埋もれて見えなくなってしまう点が不満だった。なお、特許文献１には、テーブル上面に切削刃物を有する木材加工機において、切削刃物の周辺に切屑等を除去する送風装置を備えた木材加工機の切削除去装置が記載されている。しかし、この切削除去装置は、テーブル上面に切削刃物を有する木材加工機に対するものであり、手に持って操作する手動の鋸には適用することができなかった。
【先行技術文献】
【特許文献】
【０００３】
【特許文献１】実用新案出願平３−１０８５８２号
【発明の概要】
【発明が解決しようとする課題】
【０００４】
本発明は、このような問題に対してなされたものであり、手動の鋸において木屑を除去しながら木材を加工することができる木屑処理装置を提供することを目的とする。
【課題を解決するための手段】
【０００５】
本発明の木屑処理装置は、手動の鋸に取り付けて用いるものであって、鋸の板に取り付けるための取付具と、この取付具に対して回動可能に配設された送風具とを備えたものである。
【発明の効果】
【０００６】
本発明の木屑処理装置によれば、取付具により送風具を鋸の板に取り付けるようにしたので、手動の鋸を用いて木材を切断しながら、切断により生じた木屑を送風具で飛ばすことができる。よって、墨付けした線が木屑に埋もれてしまうことを防止することができ、手動の鋸による加工を容易とすることができる。
【図面の簡単な説明】
【０００７】
【図１】本発明の一実施の形態に係る木屑処理装置の構成を表す図である。
【図２】図１に示した木屑処理装置を他の方向から見た図である。
【図３】図１に示した木屑処理装置の使用方法を表す図である。
【発明を実施するための形態】
【０００８】
以下、本発明の実施の形態について、図面を参照して詳細に説明する。
【０００９】
図１は、本発明の一実施の形態に係る木屑処理装置１０の構成を表わすものであり、図２は、木屑処理装置１０をＡ方向から見た図であり、図３は木屑処理装置１０の使用方法を表すものである。この木屑処理装置１０は、手動の鋸２０に取り付けて用いるものであり、鋸２０の板２１に取り付けるための取付具１１と、この取付具１１に対して回動可能に配設された送風具１２とを備えている。取付具１１としては、例えば、山形クリップまたは目玉クリップが好ましい。山形クリップまたは目玉クリップは、例えば、一端部につまみ部が形成され、他端部に挟み部が形成された一対のクリップ部材をばねにより挟み部同士が当接し、つまみ部同士が離れるように付勢したものである。なお、挟み部には、滑り止めのゴム１１aが取り付けられていてもよい。
【００１０】
送風具１２は、例えば、小型ファンと、小型ファンを駆動する駆動モーターと、駆動モーターの駆動スイッチとを有している。送風具１２は外部の電源を用いて駆動させるようにしてもよいが、取付具１１に電池１３を配設し、電池１３を用いて駆動させるようにしてもよい。送風具１２は、回転させることにより送風方向を例えば３６０°変えられるように配設されている。また、送風具１２は、取付具１１に対して１つ配設するようにしてもよいが、鋸２０の板２１の両側から風を送ることができるように、取付具１１の両側に１つずつ配設するようにしてもよい。
【００１１】
この木屑処理装置１０は、例えば、手動の鋸２０により木などを切断する際に、取付具１１により鋸２０の板２１に取り付け、送風具１２の角度を調節し、送風具１２を駆動させて用いる。切断により生じた木屑などは、送風具１２により飛ばされ、切断作業を途中で止めなくても、切断位置を容易に確認することができる。
【００１２】
このように本実施の形態によれば、取付具１１により送風具１２を鋸２０の板２１に取り付けるようにしたので、手動の鋸２０を用いて木材を切断しながら、切断により生じた木屑を送風具１２で飛ばすことができる。よって、墨付けした線が木屑に埋もれてしまうことを防止することができ、手動の鋸２０による加工を容易とすることができる。
【００１３】
以上、実施の形態を挙げて本発明を説明したが、本発明は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００１４】
鋸に付けて用いることができる。
【符号の説明】
【００１５】
１０…木屑処理装置、１１…取付具、１１ａ…ゴム、１２…送風具、１３…電池、２０…鋸、２１…板
【図１】
2012240243.tif 000003
【図２】
2012240243.tif 000004
【図３】
2012240243.tif 000005
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
手動の鋸に取り付けて用いる木屑処理装置であって、
鋸の板に取り付けるための山形クリップまたは目玉クリップよりなる取付具と、
小型ファンを有する送風具とを備え、
前記送風具は、前記取付具に対して回動可能に配設され、回転させることにより送風方向を変更可能であり、
前記取付具の挟み部には、滑り止めのゴムが取り付けられた
ことを特徴とする木屑処理装置。
【手続補正２】
【補正対象書類名】明細書
【補正対象項目名】０００５
【補正方法】変更
【補正の内容】
【０００５】
本発明の木屑処理装置は、手動の鋸に取り付けて用いるものであって、鋸の板に取り付けるための山形クリップまたは目玉クリップよりなる取付具と、小型ファンを有する送風具とを備え、送風具は、取付具に対して回動可能に配設され、回転させることにより送風方向を変更可能であり、取付具の挟み部には、滑り止めのゴムが取り付けられたものである。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
手動の鋸に取り付けて用いる木屑処理装置であって、
鋸の板に取り付けるための山形クリップまたは目玉クリップよりなる取付具と、
小型ファンを有する送風具とを備え、
前記送風具は、前記取付具の側部に鋸の板に沿った方向に回動可能に配設され、回転させることにより送風方向を前記取付具の側部に沿って変更可能であり、
前記取付具の挟み部には、滑り止めのゴムが取り付けられた
ことを特徴とする木屑処理装置。
【手続補正２】
【補正対象書類名】明細書
【補正対象項目名】０００５
【補正方法】変更
【補正の内容】
【０００５】
本発明の木屑処理装置は、手動の鋸に取り付けて用いるものであって、鋸の板に取り付けるための山形クリップまたは目玉クリップよりなる取付具と、小型ファンを有する送風具とを備え、送風具は、取付具の側部に鋸の板に沿った方向に回動可能に配設され、回転させることにより送風方向を取付具の側部に沿って変更可能であり、取付具の挟み部には、滑り止めのゴムが取り付けられたものである。